(57)【特許請求の範囲】
【請求項１】
複数の方向キーと、
決定キーと、
指定キーと、
パワーオンに対応して第１のモードを実行し、前記複数の方向キーの押下回数及び押下順序の組み合わせにより、前記第１のモードから第２のモードへ移行するモード制御手段と、
前記第１のモードの実行に対応して、第１のエリアに第１の方向キーの押下に対応し変更可能な数字を表示し、前記第２のモードの実行に対応して、第２のエリアに数字項目の一覧と前記複数の方向キー及び前記決定キーを示すイメージとを表示し、第１の方向キーの押下に対応し前記数字項目の一覧の中の第１の数字項目を第１の表示形式で表示し、前記第１の数字項目以外の項目を第２の表示形式で表示し、前記決定キーの押下に対応し、前記第１の表示形式の前記第１の数字項目に対応する第１の数字を前記第１のエリアに表示する表示手段と、
前記指定キーの押下に対応して、前記第１のエリアに表示された１以上の数字の入力を確定する入力制御手段と、
を備える画像形成装置。
【請求項２】
前記表示手段は、前記第１のモードの実行時に、前記第１の方向キーの押下回数又は押下時間に応じて加算されるプリント枚数を前記第１のエリアに表示し、前記第２の方向キーの押下回数又は押下時間に応じて減算される前記プリント枚数を前記第１のエリアに表示し、
前記制御手段は、前記指定キーの押下に対応して、前記第１のエリアに表示された前記プリント枚数のプリント動作を実行する請求項１の画像形成装置。
【請求項３】
モードキーを備え、
前記制御手段は、前記第１のモードの実行時の前記モードキーの押下に応じて、プリント枚数入力モードを実行し、
前記表示手段は、前記プリント枚数入力モードの実行時に、前記第１の方向キーの押下回数又は押下時間に応じて加算される前記プリント枚数を前記第１のエリアに表示し、前記第２の方向キーの押下回数又は押下時間に応じて減算される前記プリント枚数を前記第１のエリアに表示する請求項２の画像形成装置。
【請求項４】
前記制御手段は、前記第１のモードの実行時の前記モードキーの押下に応じて、プリント倍率入力モードを実行し、
前記表示手段は、前記プリント倍率入力モードの実行時に、前記第１の方向キーの押下回数又は押下時間に応じて加算されるプリント倍率を前記第１のエリアに表示し、前記第２の方向キーの押下回数又は押下時間に応じて減算される前記プリント倍率を前記第１のエリアに表示し、
前記制御手段は、前記指定キーの押下に対応して、前記第１のエリアに表示された前記プリント倍率のプリント動作を実行する請求項３の画像形成装置。
【請求項５】
前記表示手段は、前記第２のモードの実行に対応して、前記数字項目の一覧と、入力切換項目と、前記複数の方向キー及び前記決定キーを示すイメージとを表示し、１以上の方向キーの押下の組み合わせに対応し前記入力切換項目を前記第１の表示形式で表示し、前記入力切換項目以外の項目を前記第２の表示形式で表示し、前記決定キーの押下に対応し、前記数字項目の一覧を文字項目の一覧へ切り換えて表示する請求項１乃至４の何れか１つの画像形成装置。
【発明の詳細な説明】
【技術分野】
【０００１】
本発明の実施形態は、入力装置に関する。
【背景技術】
【０００２】
コピー機等の画像形成装置の入力部は、プリント枚数等を入力するためのテンキーを備え、ユーザは、入力部のテンキーによりプリント枚数等を入力することができる。一方で、低価格を売りにする画像形成装置に適用される簡易入力部は、テンキーを持たず、４方向に対応した４つの方向キーのうちの、第１の方向キーの押下回数に応じて加算されるプリント枚数の入力を受け付ける。また、第１の方向キーと反対方向の第２の方向キーの押下回数に応じて減算されるプリント枚数の入力を受け付ける。
【先行技術文献】
【特許文献】
【０００３】
【特許文献１】特開２０１１−２５１５３２号公報
【発明の概要】
【発明が解決しようとする課題】
【０００４】
上記のように簡易入力装置は、キーの数が少なく、比較的安価に構成することができるが、テンキーを持たないため、特定の数字又は数字列等の入力に向かないことがある。
【０００５】
本発明の目的は、テンキーに依存せずに特定の数字又は数字列等を比較的容易に入力することができる入力装置を提供することである。
【課題を解決するための手段】
【０００６】
実施形態の入力装置は、複数の方向キーと、決定キーと、指定キーと、モード制御手段と、表示手段、入力制御手段とを備える。前記モード制御手段は、前記複数の方向キーの押下回数及び押下順序の組み合わせにより、入力モードを実行する。前記表示手段は、前記入力モードの実行に対応して、数字項目の一覧と前記複数の方向キー及び前記決定キーを示すイメージとを表示し、第１の方向キーの押下に対応し前記数字項目の一覧の中の第１の数字項目を第１の表示形式で表示し、前記第１の数字項目以外の項目を第２の表示形式で表示し、前記決定キーの押下に対応し、前記第１の表示形式の前記第１の数字項目に対応する第１の数字を入力画面に表示する。前記入力制御手段は、前記指定キーの押下に対応して、前記入力画面に表示された１以上の数字の入力を確定する。
【図面の簡単な説明】
【０００７】
【図１】実施形態に係る画像形成装置（入力装置）の概略構成を示すブロック図である。
【図２】実施形態に係る入力部及び表示部の一例を示す図である。
【図３】実施形態に係る表示部の表示画面の遷移の一例を示す図である。
【図４】実施形態に係るサービスモードへの移行及びサービスモードにおける入力の一例を示すフローチャートである。
【図５】実施形態に係る表示部の表示画面の遷移の一例を示す図である。
【発明を実施するための形態】
【０００８】
以下、実施形態について図面を参照して説明する。
【０００９】
図１は、実施形態に係る画像形成装置（入力装置）の概略構成を示すブロック図である。本実施形態では、入力装置の一例として画像形成装置について説明する。なお、入力装置は、画像形成装置だけに限定されるものではなく、入力手段を備える様々な電子機器に適用可能である。
【００１０】
図１に示すように、例えば、画像形成装置は、制御部１、記憶部２、入力部３、表示部４、画像入力部５、画像処理部６、画像形成部７等により構成される。
【００１１】
図２に示すように、例えば、入力部３は、第１の方向キー（上キー）３１、第２の方向キー（下キー）３２、第３の方向キー（左キー）３３、第４の方向キー（右キー）３４、決定キー（ＯＫキー）３５、スタートキー（指定キー）３６、クリアキー３７、モードキー３８を備える。
【００１２】
例えば、第１の方向キー３１が選択（押下）されると、入力部３は、第１の方向キー３１の選択に対応した第１の信号を出力し、制御部１は、第１の信号を検出し、第１の方向キー３１が選択されたことを検出し、第１の方向キー３１の選択に対応した動作を制御する。また、第２の方向キー３２が選択（押下）されると、入力部３は、第２の方向キー３２の選択に対応した第２の信号を出力し、制御部１は、第２の信号を検出し、第２の方向キー３２が選択されたことを検出し、第２の方向キー３２の選択に対応した動作を制御する。
【００１３】
同様に、制御部１は、第３の方向キー（左キー）３３、第４の方向キー（右キー）３４、決定キー３５、スタートキー（指定キー）３６、クリアキー３７、モードキー３８の何れのキーが選択（押下）されても、どのキーが選択（押下）されたかを検出することができ、キーの選択に対応した動作を制御する。
【００１４】
また、第１の方向キー３１が長押しされると、入力部３は、第１の方向キー３１の長押しに対応した第１の長押し信号を出力し、制御部１は、第１の長押し信号の検出、及び第１の長押し信号の検出時間から、第１の方向キー３１の長押しと、長押し時間を検出し、第１の方向キー３１の長押しと、長押し時間に応じた動作を制御する。第２の方向キー３２等の長押しについても同様である。
【００１５】
表示部４は、入力部３のキーの選択に対応した結果を表示する。詳細は後述する。
【００１６】
画像入力部５は、スキャナ及びネットワーク通信部を含み、スキャナで読み取られた画像データを入力したり、ネットワーク通信部で受信したプリントデータを入力したりする。画像処理部６は、入力された画像データ又はプリントデータを補正したり、入力された画像データの倍率を変更したりする。画像形成部７は、補正後の画像データ又はプリントデータに基づき画像を形成（プリント）する。或いは、画像形成部７は、倍率変更後の画像データに基づき画像を形成（プリント）する。
【００１７】
以下、標準モードにおける入力とサービスモードにおける入力について説明する。
【００１８】
画像形成装置は、パワーオンの後、標準モードを実行し、入力部３を介してサービスモードへの移行が指示されるとサービスモードへ移行する。
【００１９】
（標準モードにおける入力）
例えば、モードキー３８が押下されると、入力画面４１に複数のモードが表示され、第１の方向キー３１の押下に応じて、複数のモードの中で表示中又は選択中のモードが切り換わる。複数のモードの中で１モードが表示又は選択されている状態で、決定キー３５が押下されると、表示中又は選択中の１モードが決定され、制御部１は、決定された１モードを実行する。このような手順を経て、例えば、制御部１がプリントモード（プリント枚数入力モード）を実行すると、表示部４はプリントモード（プリント枚数入力）を案内表示し、プリント枚数「１」を表示する。或いは、制御部１がプリントモード（倍率入力モード）を実行すると、表示部４はプリントモード（倍率入力モード）を案内表示し、倍率「１００％」を表示する。
【００２０】
プリントモード（プリント枚数入力モード）実行時に、第１の方向キー３１又は第３の方向キー３３が１回選択されると、表示部４は、入力画面４１中の、プリント枚数「１」の表示をプリント枚数「２」の表示へ更新する。さらに、第１の方向キー３１又は第３の方向キー３３が１回選択されると、表示部４は、入力画面４１中の、プリント枚数「２」の表示をプリント枚数「３」の表示へ更新する。さらに、第２の方向キー３２又は第４の方向キー３４が１回選択されると、表示部４は、入力画面４１中の、プリント枚数「３」の表示をプリント枚数「２」の表示へ更新する。さらに、第２の方向キー３２又は第４の方向キー３４が１回選択されると、表示部４は、入力画面４１中の、プリント枚数「２」の表示をプリント枚数「１」の表示へ更新する。つまり、表示部４の入力画面４１は、第１の方向キー３１又は第３の方向キー３３の押下回数に応じて加算されたプリント枚数、又は第２の方向キー３２又は第４の方向キー３４の押下回数に応じて減算されたプリント枚数を表示する。
【００２１】
或いは、プリントモード（プリント枚数入力モード）実行時に、第１の方向キー３１又は第３の方向キー３３が所定時間押下され続けると、表示部４は、入力画面４１中の、プリント枚数「１」の表示を押下時間に応じて加算したプリント枚数「Ｎ」（Ｎ：整数、Ｎ≧２）の表示へ更新する。さらに、第２の方向キー３２又は第４の方向キー３４が所定時間押下され続けると、表示部４は、入力画面４１中の、プリント枚数「Ｎ」の表示を押下時間に応じて減算したプリント枚数「Ｍ」（Ｍ：整数、Ｎ＞Ｍ≧１）の表示へ更新する。つまり、表示部４の入力画面４１は、第１の方向キー３１又は第３の方向キー３３の押下時間に応じて加算されたプリント枚数、又は第２の方向キー３２又は第４の方向キー３４の押下回数に応じて減算されたプリント枚数を表示する。
【００２２】
プリントモード（倍率入力モード）実行時に、第１の方向キー３１又は第３の方向キー３３が１回選択されると、表示部４は、入力画面４１中の、倍率「１００％」の表示をプリント枚数「１０１％」の表示へ更新する。さらに、第１の方向キー３１又は第３の方向キー３３が１回選択されると、表示部４は、入力画面４１中の、プリント枚数「１０１％」の表示をプリント枚数「１０２％」の表示へ更新する。さらに、第２の方向キー３２又は第４の方向キー３４が１回選択されると、表示部４は、入力画面４１中の、プリント枚数「１０２％」の表示をプリント枚数「１０１％」の表示へ更新する。さらに、第２の方向キー３２又は第４の方向キー３４が１回選択されると、表示部４は、入力画面４１中の、プリント枚数「１０１％」の表示をプリント枚数「１００％」の表示へ更新する。つまり、表示部４の入力画面４１は、第１の方向キー３１又は第３の方向キー３３の押下回数に応じて加算された倍率、又は第２の方向キー３２又は第４の方向キー３４の押下回数に応じて減算された倍率を表示する。
【００２３】
或いは、プリントモード（倍率入力モード）実行時に、第１の方向キー３１又は第３の方向キー３３が所定時間押下され続けると、表示部４は、入力画面４１中の、倍率「１００％」の表示を押下時間に応じて加算した倍率「１５０％」等の表示へ更新する。さらに、第２の方向キー３２又は第４の方向キー３４が所定時間押下され続けると、表示部４は、入力画面４１中の、倍率「１５０％」の表示を押下時間に応じて減算した倍率「１００％」等の表示へ更新する。つまり、表示部４の入力画面４１は、第１の方向キー３１又は第３の方向キー３３の押下時間に応じて加算された倍率、又は第２の方向キー３２又は第４の方向キー３４の押下回数に応じて減算された倍率を表示する。
【００２４】
テンキーがなくても、上記のように、規則的に加算又は減算した数字（数字列）を入力することは比較的容易である。
【００２５】
しかしながら、サービスモードでは、不規則な数字列、文字列を入力する場面、又は文字、記号、数字が混在した文字記号数字列を入力する場面が生じることがある。以下、サービスモードにおける入力について説明する。
【００２６】
（サービスモードにおける入力）
図４は、サービスモードへの移行及びサービスモードにおける入力の一例を示すフローチャートである。
【００２７】
例えば、第１の方向キー３１、第２の方向キー３２、第３の方向キー３３、第４の方向キー３４のうちの２以上のキーの押下回数及び押下順序の組み合わせにより、制御部１は、サービスモードを実行する（サービスモードログイン）（ＡＣＴ１１）。例えば、第１の方向キー３１が１回、第２の方向キー３２が連続して２回、第３の方向キー３３が１回押下されると、制御部１は、サービスモードを実行する。
【００２８】
続いて、例えば、モードキー３８が押下されると、入力画面４１に複数のモードが表示され、第１の方向キー３１の押下に応じて、複数のモードの中で表示中又は選択中のモードが切り換わる。複数のモードの中で１モード（例えば調整モード）が表示又は選択されている状態で（ＡＣＴ１２）、決定キー３５が選択されると、表示中又は選択中の１モード（例えば調整モード）が決定され（ＡＣＴ１３、ＹＥＳ）、制御部１は、決定された１モード（調整モード）を実行する。
【００２９】
図２の表示部４に表示された画面は、調整モード（入力モード）の実行に対応して表示される画面の一例である。図２に示すように、表示部４は、調整モードの実行に対応して、入力画面４１、キーイメージ４２、複数の数字項目（数字項目一覧）４３、入力切換項目４４を表示する。
【００３０】
キーイメージ４２は、例えば、第１の方向キー３１、第２の方向キー３２、第３の方向キー３３、第４の方向キー３４、決定キー３５に対応するイメージであり、第１の方向キー３１、第２の方向キー３２、第３の方向キー３３、第４の方向キー３４、決定キー３５が有効であることを示す。
【００３１】
複数の数字項目４３は、「１」、「２」、…「９」、「０」等の数字項目である。入力切換項目４４は、「＃」である。
【００３２】
例えば、第１の方向キー３１、第２の方向キー３２、第３の方向キー３３、第４の方向キー３４、決定キー３５のうちの何れかのキーが押下されると、「５」項目が第１の表示形式で表示され、「５」以外の項目が第２の表示形式で表示される（図３のＳＴＡＴＥ１）。
【００３３】
続いて、第３の方向キーが押下されると（ＡＣＴ１４、ＹＥＳ）、第３の方向キーは有効なキーなので（ＡＣＴ１５、ＹＥＳ）、「４」項目が第１の表示形式で表示され、「４」以外の項目が第２の表示形式で表示される（図３のＳＴＡＴＥ２）。この状態で、決定キー３５が押下されると（ＡＣＴ１６、ＹＥＳ）、第１の表示形式で表示された「４」項目に対応する「４」が入力画面４１に表示される（図３のＳＴＡＴＥ３）。ここで、クリアキー３７が押下されると（ＡＣＴ１７、ＹＥＳ）、入力画面４１に表示された「４」がクリアされ、初期画面が表示される。
【００３４】
クリアキー３７が押下されずに、例えば、「４」項目が第１の表示形式で表示され、「４」以外の項目が第２の表示形式で表示された状態で、第１の方向キー３１が押下されると、「１」項目が第１の表示形式で表示され、「１」以外の項目が第２の表示形式で表示される。この状態で、決定キー３５が押下されると、第１の表示形式で表示された「１」項目に対応する「１」が入力画面４１に表示される。例えば、入力画面４１は、「４１」を表示する。
【００３５】
入力画面４１に「４」が表示された状態で、スタートキー３６が押下されると（ＡＣＴ１８）、制御部１は、「４」の入力を確定する。また、入力画面４１に「４１」が表示された状態で、スタートキー３６が押下されると（ＡＣＴ１８）、制御部１は、「４１」の入力を確定する。
【００３６】
さらに、モードキー３８等が押下されると、モードが切り換えられる（ＡＣＴ１９）。
【００３７】
次に、入力切換について説明する。
【００３８】
例えば、調整モード（入力モード）の実行中において（図３のＳＴＡＴＥ１）、第１の方向キー３１、第２の方向キー３２、第３の方向キー３３、第４の方向キー３４のうちのいくつかのキーの１又は複数回の押下により、入力切換項目４４が第１の表示形式で表示され、入力切換項目４４以外の項目が第２の表示形式で表示された状態で、決定キー３５が押下されると、第１の表示形式で表示された入力切換項目４４が入力され、表示部４中のテンキー等の一覧表示（図５のＳＴＡＴＥ１）が、アルファベットの前半の一覧表示（図５のＳＴＡＴＥ２）に切り換わる。
【００３９】
さらに、この状態、つまり、入力切換項目４４が第１の表示形式で表示され、入力切換項目４４以外の項目が第２の表示形式で表示された状態で、決定キー３５が押下されると、第１の表示形式で表示された入力切換項目４４が入力され、表示部４中のアルファベットの前半の一覧表示（図５のＳＴＡＴＥ２）が、アルファベットの中盤の一覧表示（図５のＳＴＡＴＥ３）に切り換わる。
【００４０】
さらに、この状態、つまり、入力切換項目４４が第１の表示形式で表示され、入力切換項目４４以外の項目が第２の表示形式で表示された状態で、決定キー３５が押下されると、第１の表示形式で表示された入力切換項目４４が入力され、表示部４中のアルファベットの中盤の一覧表示（図５のＳＴＡＴＥ３）が、アルファベットの後半及びその他記号の一覧表示（図５のＳＴＡＴＥ４）に切り換わる。
【００４１】
さらに、この状態、つまり、入力切換項目４４が第１の表示形式で表示され、入力切換項目４４以外の項目が第２の表示形式で表示された状態で、決定キー３５が押下されると、第１の表示形式で表示された入力切換項目４４が入力され、表示部４中のアルファベットの後半及びその他記号の一覧表示（図５のＳＴＡＴＥ４）が、テンキー等の一覧表示（図５のＳＴＡＴＥ１）に切り換わる。
【００４２】
アルファベットの前半の一覧表示、アルファベットの中盤の一覧表示、アルファベットの後半及びその他記号の一覧表示において、第１の方向キー３１、第２の方向キー３２、第３の方向キー３３、第４の方向キー３４、決定キー３５の押下により、アルファベット等を入力することができる。
【００４３】
本実施形態によれば、コントロールパネル上にテンキーが無く、またタッチパネル入力機能を備えていなくとも、テンキー等の一覧表示と方向キー等を組み合わせて、数字又は数字列を簡単に入力することができる。
【００４４】
即ち、
（１）表示部４は０−９の数字一覧を表示することができる。
【００４５】
（２）表示部４は有効なキーに対応するキーイメージ４２を表示することができる。
【００４６】
（３）表示部４は０−９の数字一覧のうち、選択中の数字を白、背景を黒で表示し、非選択中の数字を黒、背景を白で表示することができる。
【００４７】
（４）入力部３は決定キー３５を備える。
【００４８】
（５）表示部４は０−９の数字一覧をアルファベット等に切り換えて表示することもできる。
【００４９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５０】
１…制御部、２…記憶部、３…入力部、４…表示部、５…画像入力部、６…画像処理部、７…画像形成部
【図１】
0005540046.tif 000002
【図２】
0005540046.tif 000003
【図３】
0005540046.tif 000004
【図４】
0005540046.tif 000005
【図５】
0005540046.tif 000006